(57)【要約】  発明は、特定の目視条件の下で回折像を再現する回折構造を含む領域を少なくとも１つ有する、好ましくは貴重書類のための、セキュリティ素子に関する。この領域は、回折像の再現に関与せず、視認可能な情報を表す、副領域を有する。副領域によって表される情報が、その下で回折像が視認される、目視条件の下でしかほとんど視認できないことが肝要である。
2006528369.tif 000002
【特許請求の範囲】
【請求項１】
特定の目視条件の下で回折像を再現する回折構造を含む領域（１２）を少なくとも１つ有する、好ましくは貴重書類のための、セキュリティ素子であって、前記領域（１２）が、前記回折像の前記再現に関与せず、視認可能な情報を表す副領域（１４）を有するセキュリティ素子において、前記副領域（１４）によって表される前記情報が実質的に前記回折像の前記特定の目視条件の下でのみ視認可能であることを特徴とするセキュリティ素子。
【請求項２】
前記領域（１２）が、前記回折像の前記再現を支援する、第１の反射層（２６）を有することを特徴とする請求項１に記載のセキュリティ素子。
【請求項３】
前記副領域（１４）が回折構造をもたず、前記第１の反射層（２６）が前記回折構造の領域及び前記副領域（１４）の領域のいずれにも配されることを特徴とする請求項１または２に記載のセキュリティ素子。
【請求項４】
前記領域（１２）が、前記回折構造がレリーフ構造の形態で存在する、透明プラスチック層（２４）を有し、前記第１の反射層（２６）が、前記回折構造が設けられた、前記プラスチック層（２４）の表面上に配され、前記プラスチック層の背面が第２の反射層（２２）を有し、前記副領域（１４）が前記第１の反射層（２６）における間隙によって形成されることを特徴とする請求項１または２に記載のセキュリティ素子。
【請求項５】
前記第１及び第２の反射層（２６，２２）が実質的に同じ反射特性を有する材料でつくられ、好ましくは同じ材料でつくられることを特徴とする請求項４に記載のセキュリティ素子。
【請求項６】
前記副領域（１４）が前記第１の反射層（２６）のオーバープリント領域を形成し、前記第１の反射層及び前記オーバープリント領域が実質的に同じ反射特性を有することを特徴とする請求項１から５のいずれか１項に記載のセキュリティ素子。
【請求項７】
前記オーバープリント領域に金属性印刷インクが用いられることを特徴とする請求項６に記載のセキュリティ素子。
【請求項８】
前記第１及び／または第２の反射層（２６，２２）が、例えばアルミニウム、金、銅のような、金属層でつくられることを特徴とする請求項１から７のいずれか１項に記載のセキュリティ素子。
【請求項９】
特定の目視条件の下で回折像を再現する回折構造を含む領域（１２）を少なくとも１つ有する、好ましくは貴重書類のための、セキュリティ素子であって、前記領域（１２）が、前記回折像の前記再現に関与せず、視認可能な情報を表す副領域（１４）を有するセキュリティ素子において、前記副領域（１４）によって表される前記情報が前記回折像の前記特定の目視条件とは異なる目視条件の下で視認可能であることを特徴とするセキュリティ素子。
【請求項１０】
前記領域（１２）が、前記回折構造がレリーフ構造の形態で存在する、透明プラスチック層（２４）を有し、前記回折構造が設けられた前記プラスチック層（２４）の表面上に第１の反射層（２６）が配され、前記副領域（１４）が前記第１の反射層（２６）における間隙によって形成されることを特徴とする請求項９に記載のセキュリティ素子。
【請求項１１】
前記プラスチック層の背面が第２の反射層（２２）を有し、前記第１及び第２の反射層が色の異なる材料、特に、例えばアルミニウム、銅、金のような、色の異なる金属でつくられることを特徴とする請求項１０に記載のセキュリティ素子。
【請求項１２】
前記領域（１２）が、前記副領域（１４）によって表される前記情報が透過光で視認可能であるように、透明キャリア上に配されることを特徴とする請求項９または１０に記載のセキュリティ素子。
【請求項１３】
前記セキュリティ素子が、特定の目視条件の下で回折像を再現する回折構造をそれぞれが有する、互いに直に接する少なくとも２つの領域（３２Ａ，３２Ｂ；４２Ａ〜４２Ｄ；５２-０〜５２-１１；６２-０〜６２-９）を有し、前記領域（３２Ａ，３２Ｂ；４２Ａ〜４２Ｄ；５２-０〜５２-１１；６２-０〜６２-９）の前記特定の目視条件が互いに異なり、前記領域（３２Ａ，３２Ｂ；４２Ａ〜４２Ｄ；５２-０〜５２-１１；６２-０〜６２-９）が、前記回折像の前記再現に関与しない副領域（３４Ａ，３４Ｂ）を有することを特徴とする請求項１から１２のいずれか１項に記載のセキュリティ素子。
【請求項１４】
前記領域（３２Ａ，３２Ｂ；４２Ａ〜４２Ｄ；５２-０〜５２-１１；６２-０〜６２-９）が矩形、ストリップ、扇形または円環の形状を有することを特徴とする請求項１３に記載のセキュリティ素子。
【請求項１５】
前記領域の内の少なくとも１つが複数の部分領域（７２-１〜７２-ｍ；７４-１〜７４-ｍ；９６）からなることを特徴とする請求項１から１４のいずれか１項に記載のセキュリティ素子。
【請求項１６】
前記部分領域（９６）が均一な、好ましくは矩形の、画素からなることを特徴とする請求項１５に記載のセキュリティ素子。
【請求項１７】
前記セキュリティ素子が、異なる特定の目視条件の下で回折像を再現し、それぞれが複数の部分領域（７２-１〜７２-ｍ；７４-１〜７４-ｍ）からなる、少なくとも２つの領域（７２，７４）を有し、前記異なる回折像の前記部分領域（７２-１〜７２-ｍ；７４-１〜７４-ｍ）が互いにインターレースされることを特徴とする請求項１５に記載のセキュリティ素子。
【請求項１８】
前記セキュリティ素子が、少なくとも前記セキュリティ素子を垂直方向から見たときに視認可能であり、部分像領域（８８ｉ）からなる、像領域（８８）を有し、前記部分像領域（８８ｉ）及び前記回折像の前記部分領域（８２ｉ，８４ｉ）が互いにインターレースされることを特徴とする請求項１７に記載のセキュリティ素子。
【請求項１９】
前記部分領域（７２-１〜７２-ｍ；７４-１〜７４-ｍ；８２ｉ，８４ｉ）及び／または部分像領域（８８ｉ）がストリップ形状を有し、前記異なる回折像の前記部分領域（７２-１〜７２-ｍ；７４-１〜７４-ｍ；８２ｉ，８４ｉ）及び／または前記部分像領域（８８ｉ）が交互に配されることを特徴とする請求項１７または１８に記載のセキュリティ素子。
【請求項２０】
前記ストリップ形状部分領域（７２-１〜７２-ｍ；７４-１〜７４-ｍ；８２ｉ，８４ｉ）及び／または前記部分像領域（８８ｉ）が約１μｍから約２００μｍ、好ましくは約１０μｍから１００μｍの幅を有することを特徴とする請求項１７から１９のいずれか１項に記載のセキュリティ素子。
【請求項２１】
前記副領域（７６）によって表される前記情報が、前記副領域によって表される前記情報が前記再現される回折像の前記異なる目視条件の下で視認可能であるように、異なる回折像を再現する前記部分領域（７２-１〜７２-ｍ；７４-１〜７４-ｍ）の幅の合計に少なくとも等しい線幅を有することを特徴とする請求項１５から２０のいずれか１項に記載のセキュリティ素子。
【請求項２２】
前記情報の前記線幅が少なくとも８０μｍであることを特徴とする請求項２１に記載のセキュリティ素子。
【請求項２３】
前記個々の領域（３２Ａ，３２Ｂ；４２Ａ〜４２Ｄ；５２-０〜５２-１１；６２-０〜６２-９；７２，７４）の前記副領域によって表される前記情報片が互いに異なることを特徴とする請求項１５から２２のいずれか１項に記載のセキュリティ素子。
【請求項２４】
前記個々の領域（３２Ａ，３２Ｂ；４２Ａ〜４２Ｄ；５２-０〜５２-１１；６２-０〜６２-９；７２，７４）の前記副領域によって表される前記情報片が、識別番号、通し番号または光学像のような、全体情報を表すことを特徴とする請求項１５から２３のいずれか１項に記載のセキュリティ素子。
【請求項２５】
前記個々の領域（３２Ａ，３２Ｂ；４２Ａ〜４２Ｄ；５２-０〜５２-１１；６２-０〜６２-９；７２，７４）の前記副領域によって表される前記情報片が同一であり、好ましくは識別番号、通し番号または光学像を表すことを特徴とする請求項１５から２２のいずれか１項に記載のセキュリティ素子。
【請求項２６】
前記個々の領域（４２Ａ〜４２Ｄ；５２-０〜５２-１１；６２-０〜６２-９）の前記副領域によって表される前記情報片が前記セキュリティ素子を回転させると及び／または傾けると次々に視認可能であるように、前記個々の領域（４２Ａ〜４２Ｄ；５２-０〜５２-１１；６２-０〜６２-９）の前記目視条件が相互に調節されることを特徴とする請求項１から２５のいずれか１項に記載のセキュリティ素子。
【請求項２７】
前記１つまたは複数の領域（１２；３２Ａ，３２Ｂ；４２Ａ〜４２Ｄ；５２-０〜５２-１１；６２-０〜６２-９；７２，７４）が、前記特定の目視条件とは異なる目視条件の下でも回折像を再現する、回折像によって囲まれることを特徴とする請求項１から２６のいずれか１項に記載のセキュリティ素子。
【請求項２８】
前記領域（１２；３２Ａ，３２Ｂ；４２Ａ〜４２Ｄ；５２-０〜５２-１１；６２-０〜６２-９；７２，７４）の内の少なくとも１つが、プロファイルが非対称の回折構造を有することを特徴とする請求項１から２７のいずれか１項に記載のセキュリティ素子。
【請求項２９】
前記領域（１２；３２Ａ，３２Ｂ；４２Ａ〜４２Ｄ；５２-０〜５２-１１；６２-０〜６２-９；７２，７４）の内の少なくとも１つが、レインボウホログラム、立体ホログラムまたは回折格子構造を有することを特徴とする請求項１から２８のいずれか１項に記載のセキュリティ素子。
【請求項３０】
前記領域（１２；３２Ａ，３２Ｂ；４２Ａ〜４２Ｄ；５２-０〜５２-１１；６２-０〜６２-９；７２，７４）の内の少なくとも１つが型押構造として形成されることを特徴とする請求項１から２９のいずれか１項に記載のセキュリティ素子。
【請求項３１】
前記セキュリティ素子がストライプ形に形成されることを特徴とする請求項１から３０のいずれか１項に記載のセキュリティ素子。
【請求項３２】
前記セキュリティ素子が、セキュリティスレッド、ラベルまたは転写素子であることを特徴とする請求項１から３１のいずれか１項に記載のセキュリティ素子。
【請求項３３】
前記セキュリティ素子が型押シリンダの型押面を形成することを特徴とする請求項１から３１のいずれか１項に記載のセキュリティ素子。
【請求項３４】
データキャリア、特に、銀行券、パスポート、ＩＤカード（身分証明書）等のような、貴重書類において、請求項１から３３のいずれか１項に記載のセキュリティ素子を有することを特徴とするデータキャリア。
【請求項３５】
連続ホイル、特に型押ホイルにおいて、請求項１から３３のいずれか１項に記載のセキュリティ素子を有することを特徴とする連続ホイル。
【請求項３６】
型押シリンダであって、特に型押ホイルまたはデータキャリアのためのセキュリティ素子を作成するための型押シリンダにおいて、前記型押シリンダの前記型押面が請求項１から３３のいずれか１項に記載のセキュリティ素子を有することを特徴とする型押シリンダ。
【請求項３７】
請求項１から３３のいずれか１項に記載のセキュリティ素子を製品保護の目的のために使用することを特徴とするセキュリティ素子の使用方法。
【請求項３８】
請求項３５に記載の連続ホイルをラベル材としてまたはセキュリティスレッド材としてまたは転写ホイルとして使用することを特徴とする連続ホイルの使用方法。
【請求項３９】
特に貴重書類のための、セキュリティ素子を作成する方法において、
ａ） 特定の目視条件の下で回折像を再現する回折構造を含む領域を少なくとも１つ作成する工程、及び
ｂ） 前記回折像の前記再現に関与せず、視認可能な情報を表す、副領域を作成する工程、
を有してなり、
前記副領域を、前記副領域によって表される前記情報が概ね前記回折像の前記特定の目視条件の下でのみ視認可能であるように、前記回折構造を含む前記領域に組み込むことを特徴とする方法。
【請求項４０】
工程ａ）において、前記回折構造をレリーフ構造の形態で透明プラスチック層に型押しし、前記レリーフ構造に第１の反射層を設けることを特徴とする請求項３９に記載の方法。
【請求項４１】
工程ｂ）において、前記副領域を前記第１の反射層の除去及び／または前記回折構造の破壊によってつくることを特徴とする請求項３９または４０に記載の方法。
【請求項４２】
前記除去または破壊を、レーザを用いて行うことを特徴とする請求項４１に記載の方法。
【請求項４３】
前記プラスチック層の前記レリーフ構造に対して背面となる側に第２の反射層を設けることを特徴とする請求項３９から４２のいずれか１項に記載の方法。
【請求項４４】
前記第１及び／または第２の反射層を蒸着法によってつくることを特徴とする請求項３９から４３のいずれか１項に記載の方法。
【請求項４５】
前記第１及び第２の反射層に対して同じ材料、好ましくは金属を用いることを特徴とする請求項３９から４４のいずれか１項に記載の方法。
【請求項４６】
工程ｂ）において、前記副領域を前記第１の反射層に消効性印刷インクでオーバープリントすることによってつくることを特徴とする請求項３９または４０に記載の方法。
【請求項４７】
前記第１の反射層とほとんど同じ反射特性を有する印刷インク、好ましくは金属性印刷インクを用いることを特徴とする請求項４６に記載の方法。
【請求項４８】
特に貴重書類のための、セキュリティ素子を作成する方法において、
ａ） 特定の目視条件の下で回折像を再現する回折構造を含む領域を少なくとも１つ作成する工程、及び
ｂ） 前記回折像の前記再現に関与せず、視認可能な情報を表す、副領域を作成する工程、
を有してなり、
前記副領域を、前記副領域によって表される前記情報が前記回折像の前記特定の目視条件とは異なる目視条件の下で視認可能であるように、前記回折構造を含む前記領域に組み込むことを特徴とする方法。
【請求項４９】
工程ａ）において、前記回折構造をレリーフ構造の形態で透明プラスチック層に型押しし、前記レリーフ構造に第１の反射層を設けることを特徴とする請求項４８に記載の方法。
【請求項５０】
工程ｂ）において、前記副領域を前記第１の反射層の除去によってつくることを特徴とする請求項４８または４９に記載の方法。
【請求項５１】
前記除去をレーザによって行うことを特徴とする請求項５０に記載の方法。
【請求項５２】
前記プラスチック層の前記レリーフ構造に対して背面となる側に第２の反射層を設けることを特徴とする請求項４８から５１のいずれか１項に記載の方法。
【請求項５３】
前記第１及び／または第２の反射層を蒸着法によってつくることを特徴とする請求項４８から５２のいずれか１項に記載の方法。
【請求項５４】
前記第１及び第２の反射層に対して異なる金属を用いることを特徴とする請求項４８から５３のいずれか１項に記載の方法。
【請求項５５】
工程ａ）において、異なる目視条件の下で回折像を再現し、それぞれが複数の部分領域からなる、回折構造を含む領域を少なくとも２つつくり、前記異なる回折像の前記部分領域が互いにインターレースされることを特徴とする請求項３９から５４のいずれか１項に記載の方法。
【請求項５６】
前記領域が交互に配されたストリップ形部分領域からなり、前記副領域を、前記副領域によって表される前記情報が前記再現される回折像の前記異なる目視条件の下で視認可能であるように、異なる回折像を再現する、前記部分領域の幅の合計に少なくとも等しい線幅をもってつくることを特徴とする請求項５５に記載の方法。
【請求項５７】
銀行券、ＩＤカード（身分証明書）、パスポート等のような、貴重書類を作成する方法において、
ａ） 前記貴重書類上に、異なる目視条件の下で回折像を再現し、それぞれが複数の部分領域からなる、回折構造を含む領域を少なくとも２つ有するセキュリティ素子であって、前記異なる回折像の前記部分領域が互いにインターレースされて配され、好ましくは交互に配される、セキュリティ素子を作成する工程、及び
ｂ） 前記部分領域に、どの回折像が前記部分領域に割り当てられることになるかにかかわらず、情報を表す副領域であって、前記副領域の線幅が、前記副領域によって表される前記情報が前記再現される回折像の前記異なる目視条件の下で視認可能であるように、異なる回折像を再現する前記部分領域の個々の幅の合計に少なくとも等しい、副領域を作成する工程、
を有してなることを特徴とする方法。
【発明の詳細な説明】
【技術分野】
【０００１】
本発明は、特定の目視条件の下で回折像を再現する回折構造を含む領域を少なくとも１つ有し、この領域が、回折像の再現には関与せず、視認可能な情報を表す、副領域を有する、好ましくは貴重書類のための、セキュリティ素子に関する。本発明はさらに、そのようなセキュリティ素子をもつデータキャリア、型押シリンダー及びそのようなセキュリティ素子または貴重書類を作成するための方法に関する。
【背景技術】
【０００２】
書類、特に貴重書類及び身元証明書類、さらには消費財及び耐久消費財またはそれらのパッケージにも、偽造の防止及びそれらの真性性のチェックの目的のために、専用のセキュリティ特徴が備えられることが多い。現今のカラーコピー機または高解像度スキャナ及びカラーレーザプリンタを容易に利用でき、それを用いることで未熟な職員によっても作成することができる、複製が高品質であることから、それぞれのセキュリティ特徴の偽造防止性の向上が継続的に要求されている。この目的のため、異なる目視方向の下では異なる光学的印象が生じさせる、光変化セキュリティ素子が優れていることがわかっている。そのようなセキュリティ素子は、例えば、異なる視角の下では異なる像を再現する、光回折構造を有する。そのような効果は、通常の、普及しているコピー技術または印刷技術では複製できない。
【０００３】
特許文献１は貴重書類のためのそのような回折型セキュリティ素子の特殊な実施形態を説明している。それは、異なる目視方向の下で異なるホログラフ像を再現する、いわゆる２チャネルホログラムである。ただ１つの目視方向の下で視認することができる、ホログラフで再現される像のそれぞれは１つのチャネルに対応する。個々のチャネルにはホログラムの異なる表面領域が関係付けられる。１つのチャネルに対応するホログラム領域は複数の部分領域に分割することができる。これらの部分領域は、例えば細いストリップとして、形成される。異なるチャネルに属するストリップは交互に配されることが好ましい。同じ回折像に属する部分領域は互いに隔てられているが、特定の定められた視角の下で合成回折像をつくる。ストリップ形部分領域においては、好ましくはレーザを用いて、像再現には全く寄与せず、ホログラフ像を背景にして第１または第２の個別情報を表示するように、副領域が変えられる。
【０００４】
この効果を得るについては、レーザでつくられる情報片をそれぞれがチャネルに関係付けられる部分領域またはストリップに極めて正確に組み込む必要がある。すなわち、レーザマーキングプロセス中に、マークされるべきストリップがどのチャネルに関係付けられるかが初めに決定されなければならない。これは、入射光が回折され、よってホログラフ像が再現される方向をチェックすることによって行われる。このチェックは、例えば、光源としての集束ＬＥＤ及び光検出器、例えば適切な視角を決定するためのカメラによって行われる。そのような方法は非常に精巧であり、特に個々の部分チャネルが空間的に分割される部分領域の微細度とともに、所要の作業量及び精度が高まるであろう。したがって、このプロセスは合理化された大量生産方法にはほとんど適していない。
【特許文献１】欧州特許出願公開第１１９７３５０Ａ２号明細書
【発明の開示】
【発明が解決しようとする課題】
【０００５】
本発明の課題は、上記の従来技術の欠点を回避するセキュリティ素子を作成する手段、特に所望の情報を迅速に、及び妥当な設備能力で、セキュリティ素子に書き込むことができる手段を提供することである。
【課題を解決するための手段】
【０００６】
上記課題は独立請求項の特徴によって解決される。本発明の発展形は従属請求項の主題である。
【０００７】
本発明の第１の態様にしたがえば、初めに述べたセキュリティ素子の副領域が、副領域によって表される情報（以降「個別情報」と称される）が実質的に特定の目視条件下でのみ視認でき、その条件下で回折像も視認できるように、回折構造を有する領域に組み込まれる。すなわち、特定の目視条件の下で、例えば斜視角の下で、回折構造が回折構造に入れられた回折像を再現する場合に、例として挙げた斜視角のような、目視条件がセキュリティ素子を傾けるかまたは回転させることによって得られたときにのみ、個別情報も見る人に視認可能な態様で現れる。回折像が消えるように目視条件を変えれば、個別情報も視認できなくなる（またはかすかにしか見えない）であろう。
【０００８】
本発明の用語の範囲内で、回折構造という概念は、真のホログラム、レインボウホログラム、立体ホログラム、コンピュータ生成ホログラム（ＣＧＨ）または純回折格子構造のような、光を回折するいかなる構造も意味する。回折格子構造は、例えばキネグラム（Kinegrams）（登録商標）等のような、いかなる所望の複雑な回折格子像もつくることができる。専門家の間では一般術語である「回折構造」に代って「ホログラム」という術語が浸透しているから、以降では明解さのため、適宜に、「ホログラム」という術語が用いられるが、これは限定ではない。
【０００９】
現在、セキュリティ素子として、ほとんどの場合、反射光で見られることになる回折構造、特にいわゆる型押ホログラムが用いられる。型押ホログラムは、光を回折する構造が、型押金型上に転写される、３次元レリーフ構造として実現されることを特徴とする。この型押金型によって通常はプラスチック層が型押しされ、次いでプラスチック層に回折像の再現を支援する反射層が与えられる。この反射層は、適する反射率を有する不透明または半透明の金属層または誘電体層であることが好ましい。
【００１０】
実際上、そのようなセキュリティ素子は多層構造を有する。そのようなセキュリティ素子は、それによってセキュリティ素子が貴重書類等に固定される少なくとも１つの接着層及び回折構造が型押しされる少なくとも１つのプラスチックホイル、型押構造に接する、すなわち型押構造を３次元的に覆う、極めて薄く形成された反射層及び、それによって回折構造が機械的損傷に対して保護される保護ラッカー層を有する。
【００１１】
あるいは、プラスチックホイル上に与えられた薄い金属層に型押構造が型押しされるかあるいは、保護ラッカー層上に接着層が与えられ、この結果セキュリティ素子を「背面」から見ることになることも考えられる。いずれの場合にも、見る人はレリーフ輪郭がより鮮明な面、すなわちホログラフ効果が最適な面を見る。
【００１２】
回折構造を表すレリーフ構造は対称プロファイルを有することが多い。しかし、特別な場合には、非対称プロファイルも有益であり得る。そのようなレリーフ構造は「非対称回折構造」と称される。
【００１３】
以降、同じく明解さのため、そのような型押ホログラムを用いて本発明を説明するが、このことは本発明の限定を意味しない。
【００１４】
同じく明解さのため、以降では、回折構造が斜視角の下でしか回折像を再現せず、その他の視角の下では、特に垂直方向から見ると、回折像が消えると仮定する。すなわち、ホログラムは、セキュリティ素子を垂直方向から見るときには見る人に視認されず、セキュリティ素子が回転させられたかまたは傾けられた場合にしか明瞭に現れない。この点に関し、「斜視角」及び「垂直方向視角」という術語は、光入射方向、光波長、次数及び回折格子位置等のようなパラメータによって定められ、その下で回折像が見えるかまたは見えない、特定の目視条件を表す。したがって、これらの術語はいかなる限定効果も全く有していない。
【００１５】
最も簡単な形態において、本発明にしたがう上述したタイプのセキュリティ素子は、副領域によって表される個別情報が、その下で回折像も視認できる、特定の目視条件の下以外ではほとんど見えなくなるようにして副領域が組み込まれた回折構造を含む独立領域を有する。すなわち、セキュリティ素子は、その回折構造が交互に配されたストリップへの分離が行われずに連続領域に配された、少なくとも１つのホログラムを有する。回折構造を含む独立領域が用いられるから、この場合には正確にどの場所に副領域がつくられるかが無関係であるため、精巧な像解析を回避することができる。したがって、連続的に、大量生産に用いることができる装置によって、副領域の作成を行うことができる。
【００１６】
副領域は、用いられる回折構造のタイプに依存するかまたはセキュリティ素子の構造に依存する、様々な方法で作成することができる。副領域及び副領域を囲む回折構造が、その下では回折構造が回折像を再現しない、目視条件の下で、そのような目視条件の下では副領域によって表される情報がそれらの周囲に対して視認可能なコントラストを生じないように、同じかまたは少なくとも極めて同様の反射特性を有することが考慮されなければならないだけである。
【００１７】
型押ホログラムの場合、本発明による効果は、例えば、視認できる回折構造を全くまたはほとんど有していない副領域並びに回折構造の領域及び非回折性副領域の領域のいずれにも存在する反射層によって得ることができる。副領域は視認できる回折構造を全くまたはほとんど有していないから、実際上、回折像の再現には寄与せず、したがって、反射条件の変化により、その下では見る人が回折像も視認できる、特定の目視条件の下で、視認することができる。その他の全ての目視条件の下では、全領域がほとんど無構造領域として見える。すなわち、特定の目視条件以外の条件で見るときには、見る人は副領域によって表される個別情報を視認することができない。
【００１８】
いかなる回折構造もない副領域は、いかなる態様でも作成することができる。型押ホログラムの場合には、いかなる回折構造もない副領域を型押ダイにあらかじめ設けることができる。あるいは、初めに回折構造を全面態様でプラスチック層に型押しすることができる。例えばレーザを用いて、後にいくつかの領域で回折構造及び／または反射層を破壊することにより、副領域が作成される。通常、これはレーザビームの作用の下で反射層を部分的に除去することによって行われる。この場合、個別情報は反射層の隙間の形態で存在するが、これらの領域においては回折構造も破壊され得る。そうはならない場合であっても、これらの領域における反射層の部分的欠如によって回折効果が大きく弱められるから、特定の条件の下でこれらの領域、したがって個別情報が周囲のホログラフ像に対してコントラストをなす。
【００１９】
上述したように、セキュリティ素子は、一方の層は型押構造をもつ面に設けられ、他方の層はプラスチックホイルの他方の面上に設けられた、別々の２つの反射層を備えることもできる。２つの反射層はほとんど同じ反射特性を有する材料でつくられ、好ましくは同じ材料でつくられる。この場合、アルミニウム、銅または金のような金属層が用いられることが好ましい。この別形における副領域は、ほとんどの目視条件において表面反射層及び背面反射層のいずれによってもほとんど同じように入射光が反射されるように、回折構造をもつ反射層を部分的に除去することで得られる。したがって、反射光で見ても、透過光で見ても、個別情報は視認できない。しかし、上で説明したように、特定の斜視角において、像再現に全くまたは極めてわずかにしか寄与しない副領域はそれらの周囲に比較してコントラストで視認可能である。
【００２０】
別の実施形態にしたがえば、反射層のオーバープリントによっても副領域を形成することができる。オーバープリントは、例えば、インクジェット法によって行うことができる。好ましくは、副領域は消効性印刷インクでつくられる。すなわち、反射層とほとんど同じかまたは同様の反射特性を有する印刷インクが用いられる。反射層が例えばアルミニウムのような金属でつくられていれば、副領域の作成には、好ましくは、例えばスーパーシルバー（Supersilber）のような、金属性印刷インクが用いられることになろう。この場合にも、ほとんどの目視条件下でオーバープリント領域は多かれ少なかれ視認することができない。しかし、あらかじめ定められた視角においては、オーバープリント領域が回折像の像再現に関与しないから、鮮明なコントラストが現れる。
【００２１】
本発明の第２の態様にしたがえば、副領域で表される情報があらかじめ定められた視角とは異なる視角からも見える。この場合、副領域は、特にセキュリティ素子の全ての視角の下で視認できる、非回折性コントラスト像を形成する。この別形は、見る人が個別情報を容易に見つけて視認できるという利点を提供する。この情報はまたあらかじめ定められた視角の下でもチェックがより容易である。
【００２２】
この場合も、副領域は多くの様々な態様のいずれかで作成することができる。上で既に説明したように、印刷インク、特に金属製印刷インクで、反射層を直接に、すなわち内部層構造にオーバープリントすることができ、あるいはセキュリティ素子の外層にオーバープリントすることができる。
【００２３】
あるいは、透明キャリア上に与えられる、型押ホログラムを用いることができ、副領域は反射層の間隙に存在する。この場合、副領域で表される情報は透過光で見え、非回折性コントラスト像として現れる。例えば、再現される回折像、すなわちホログラムと副領域で表される情報の間で内容が関係付けられているかまたは同一性が存在すれば、見る人は透過光で視認できる情報とあらかじめ定められた視角の下に視認できる情報を比較することによってセキュリティ素子の真性性を簡単な態様でチェックできる。
【００２４】
本発明にしたがう個別情報を有するホログラム領域は別の回折領域に埋め込むこともでき、この第２のホログラムは別の視角を有する。すなわち、第１の視角群の下では本発明にしたがう個別情報片がない周囲のホログラムしか視認できず、第２の視角群の下では本発明にしたがうホログラム及び副領域によって表される個別情報を視認できる。
【００２５】
セキュリティ素子の別の有益な実施形態においては、既に説明したように、型押プラスチック層に２つの別々の反射層が設けられる。別の実施形態では、既に説明した（２つの反射層がかなりの程度まで同じ反射特性を有する）実施形態とは異なり、２つの反射層が、例えば色の異なる金属またはインクのような、色の異なる材料でつくられる。ホログラムの再現を支援する第１の反射層はアルミニウムでつくることができ、背面側の反射層は例えば銅層または金層で形成される。このようにすれば、いかなる視角の下でもコントラストがつく２つの金属層により個別情報が第２の金属層を背景とする色で鮮明に現れ、あらかじめ定められた視角の下でも周囲のホログラフ像とコントラストがつく。
【００２６】
本発明にしたがうセキュリティ素子は、もちろん、上述したような副領域をそれぞれが含む複数のホログラム領域を有することができる。そのようなホログラフ領域は互いに直に隣接し、ホログラムは異なる視角の下で視認できることが有利である。個々のホログラムの視角はいかなる角度でも互いに異なることができる。セキュリティ素子がそのようなホログラムを２つだけ有していれば、ホログラムの視角が９０°あるいはそれ以上までの角度だけ互いに異なることが有利であり得る。
【００２７】
しかし、視角が小角度範囲でしか互いに異ならない実施形態もあり得る。これは、本発明にしたがう複数のホログラムが合せて全体像を形成する場合に特に当てはまる。例えば、円形領域が複数の扇形領域からなり、それぞれの視角が小角度範囲で互いに異なる。セキュリティ素子を回転させるかまたは傾けると、個々の扇形領域のホログラムが、したがってそれぞれの副領域で表される個別情報片も、次々に見える。
【００２８】
これは同心円環で形成される円形領域に同様に適用され、それぞれの円環は、隣接する円環の視角とは異なるある視角の下で視認できるホログラムを有する。個々のホログラム領域が、矩形、ストリップ等のような、いずれか別の幾何学的形状も有し得ることは明らかである。
【００２９】
これまでは、独立した幾何学的形状を有するホログラム領域だけで本発明を説明した。しかし、複数の部分領域でホログラム領域を構成することも可能である。最も簡単な場合、部分領域は、あらかじめ定められた目視条件の下で回折像を再現する、本発明にしたがうホログラム領域を合せて形成する、個々の画素、好ましくは矩形画素とすることができる。
【００３０】
別の実施形態において、セキュリティ素子は、異なる視角群の下で回折像を再現する、少なくとも２つのホログラム領域を有し、それぞれのホログラム領域は複数の部分領域で構成することができる。異なる回折領域の部分領域は、従来技術で既知であるように、２チャネルまたは多チャネルホログラムとして、互いにインターレースさせることができる。この場合、部分領域は肉眼で解像することはできないが、合さってそれぞれの回折効果の再現に寄与する。部分領域はストライプ形状を有することが好ましく、異なるホログラム領域に属する部分領域は交互に配される。これらの部分領域は個々の画素で構成することもできる。
【００３１】
本発明にしたがう個別情報片を含むそのようなインターレース型の２チャネルまたは多チャネルホログラムを、高度な設備能力を用いず、時間をかけずに、提供し得ることに関しては、例えばホログラム領域の個々のチャネルに、本発明にしたがう副領域の形態で同じ個別情報が組み込まれる。すなわち、ホログラムの異なる視角のそれぞれの下で、それぞれの回折像を背景にして同じ個別情報を視認できる。
【００３２】
別の実施形態にしたがえば、個別情報の線幅は異なるホログラムに属する部分領域またはストリップの幅の合計に少なくとも等しくなる寸法に選ばれる。
【００３３】
すなわち、副領域によって表される個別情報は、ホログラムのそれぞれの視角の下でも視認でき、全てのホログラム領域（チャネル）について同一である。
【００３４】
個々のホログラムの部分領域は約１μｍから約２００μｍ、好ましくは約５０μｍから１００μｍの幅を有する。個別情報の線幅は互いにインターレースされたホログラムの数に依存する。すなわち、２つのホログラムチャネルを用いる場合、線幅は少なくとも４０μｍないし１００μｍになる。しかし、実際上、視認性を高めるためには、５００μｍないしそれ以上の線幅が適当であろう。したがって、個別情報片の１本の線は通常、ホログラムチャネルの多くのストリップにかけて広がる。ホログラムの個別情報はそのチャネルにともなう交互する部分領域からなるが、１本の線当り複数の部分領域またはストリップを見る場合に、見る人はそれらを寸断されているとは認識せず、均一で独立していると認識する。
【００３５】
上述した実施形態の全てにおいて、個々のホログラム領域の個別情報片はそれぞれ１つの完全な全体情報の一部しか表すことができない。例えば、８桁の通し番号の第１の４つの数字を本発明にしたがう副領域として第１のホログラム領域に書き込むことができ、第２の４つの数字を、第１のホログラムとは異なる、特に視角が異なる、第２のホログラム領域に書き込むことができる。副領域の構成に依存して、全体情報すなわち完全な８桁の通し番号は、例えば垂直方向から見ると読み取ることができる。しかし、第１のホログラム領域を対応する第１の斜視角の下で見るときには第１の４つの数字しか視認できず、第２のホログラム領域の第２の斜視角の下でセキュリティ素子を見るときには第２の４つの数字が視認できる。すなわち、見る人は他のいかなる助けも借りずに全体情報の正しさをチェックできる。
【００３６】
書き込まれる情報は、既に述べた通し番号またはその他の識別番号あるいはいずれかの光学像、パターン、ロゴ等のような、いずれかの情報とすることができる。既に説明したように、個々の領域の視角は、副領域によって表される個々の領域の情報片がセキュリティ素子を回転させ、及び／または傾けることによって次々に視認可能になるように、互いに調節することができる。
【００３７】
セキュリティ素子は、副領域を含まない回折構造または、例えば、発光性及び／または磁気的及び／または熱変色性のセキュリティ特徴のような、全く異なるセキュリティ特徴のような、別のセキュリティ特徴を有することもできる。
【００３８】
実際のセキュリティ素子は、例えば、少なくとも部分的に紙幣及び／または有価証券に抄き込まれたセキュリティスレッドである。しかし、セキュリティ素子は、保全されるべき貴重書類または貴重品の全面にわたって、またはいずれか所望の形状のラベルまたはセキュリティストリップの形態で、与えることもできる。セキュリティ素子は、独立ラベルまたは、作成済キャリアホイルから貴重書類上または貴重品上に転写法、特に箔押法によって転写される、転写素子とすることができる。
【００３９】
上述したように、本発明のセキュリティ素子はいかなる貴重品にも、特に、貴重書類、銀行券、パスポート、身分証明書等に与えることができる。しかし、高級品のパッケージまたは高級品自体のような、その他の貴重品にも、そのようなセキュリティ素子を与えることができる。
【発明を実施するための最良の形態】
【００４０】
以下で図面を参照して本発明の別の実施形態及び利点をともに説明する。明解さのため、図面は正しい比例尺及び正しい比率では描かれていない。
【００４１】
図１は、本発明にしたがうセキュリティ素子１０が少なくとも１つ与えられた、銀行券１０を示す。銀行券はもちろん、例えばセキュリティスレッド１のような、別のセキュリティ素子を有することができる。図１は、いわゆるウインドウセキュリティスレッドの形態のそのようなセキュリティスレッド１を示す。ウインドウセキュリティスレッドは、銀行券紙に部分的にしか抄き込まれておらず、図でハッチングが施されているいくつかの領域、いわゆるウインドウにおいて銀行券１００の表面に現れる。
【００４２】
図示される例において、セキュリティ素子１０は矩形のラベルとして表されている。いずれか別の形態もとり得ることは当然である。例えば、セキュリティ素子１０は銀行券１００の表面上に、銀行券１００の全幅または全長にわたって広がる、ストリップの形態で配することができる。または、セキュリティ素子１０はセキュリティスレッドの形態をとることができ、図示されるセキュリティスレッド１のように、銀行券１００にウインドウセキュリティスレッドとして抄き込むことができる。
【００４３】
図２は、セキュリティ素子１０として用いることができる、多層転写素子１１の断面を示す。転写素子１１は、安定な自持キャリアホイル２，必要に応じて剥離層または分離層３，型押ホイル４，第１の反射層５，保護ラッカー層６，第２の反射層７及び接着層８からなる。図２に示される層はそれぞれの真の比率関係に対応していない。これらは基本的な構成を説明しているに過ぎない。実際上、層３〜８を合せた厚さは約５０μｍである。キャリア層２の層厚は１００μｍないしそれ以上である。キャリア層は実効層９が貴重書類上に転写された後に剥ぎ取られる。
【００４４】
ラベル材として用いられる、セキュリティ素子１０のためのホイル材料は、同じ層構造を有する。この場合、キャリア層２は実効層９と分離できないように結合される。このことが、本例において剥離層３が存在しないかまたは接着促進剤層で置き換えられる理由である。接着層８は、銀行券１００上への転写の前に取り外される、例えばシリコーン紙のような、図示されていない、別の保護層で覆うことができる。この転写ホイル１１からセキュリティ素子１０が所望の外形で打ち抜かれ、次いで銀行券１００上の適切な位置に配置される。
【００４５】
ホイルがセキュリティスレッド材として用いられることになる場合、層８は通常、ヒートシール性ラッカーでつくられるであろう。層２及び３は必要に応じて省くことができる。この場合、転写ホイル１１は所望の幅のスレッドに切断され、このスレッドは次いで抄紙機に送られてシート形成プロセス中にセキュリティ紙に抄き込まれる。このセキュリティ紙は次いでさらに処理されて最終の銀行券１００になる。
【００４６】
図３は貴重書類、すなわち銀行券１００上へのセキュリティ素子１０の貼付けを示す。初めに述べたようにホイル１１は転写ホイルとして形成される。ホイル１１はキャリアホイル２を有し、キャリアホイル２上にはセキュリティ対応実効層９も配されている。この場合、実効層９は比較的容易な態様でキャリアホイル２から引き離すことができなければならない。この目的のため、必要であれば、キャリアホイル２と多層実効層９の間に分離層３を配することができる。実効層９には接着層８，好ましくはホットメルト接着剤層を設けることもできる。銀行券１００上に実効層９を転写するため、転写ホイル１１が接着層８を銀行券１００に向けて銀行券１００上におかれる。接着層８がホットメルト接着層であれば、接着層８の特定の領域が、図３にスタンプ１５で示されるように、熱及び圧力を用いて活性化される。それぞれのセキュリティ素子の外形と合同の、この限定された領域において、接着層８が銀行券１００に接着する。連続ホイル１１を引き剥がすと、実効層９は、活性化された接着層９の縁端領域において切断され、よって銀行券１００上に残る。実効層９及び接着層８の残りの領域はキャリア層２上に残り、いかなる残留物も残さずに銀行券１００から取り去られる。
【００４７】
セキュリティ素子を貼り付けるためのこの方法による結果として、実効層９の層順は、完成品に存在しているときの層順に比較して、キャリア材上に逆順で与えられなければならない。
【００４８】
例えば、ＩＤカード、小切手、入場券、乗車券等のような、その他の貴重書類に、図２及び３に示されるようなセキュリティ素子１０の基本的別形を貼り付けるかまたは組み込むことももちろん可能である。同様に、金銭と等価ないずれか別の物体の保護のため及びいずれかの品物及びそれらのパッケージの製品保護のために、セキュリティ素子１０を用いることができる。
【００４９】
図２及び３のセキュリティ対応実効層９は、上述したように、多層形態を有することができる。本発明にしたがうセキュリティ対応層構造に加えて、セキュリティ対応実効層９は、例えば発光層及び／または磁気層及び／または熱変色層及び／または導電層のような、別のセキュリティ特徴を有することもできる。
【００５０】
それだけで、あるいは別のセキュリティ特徴と組み合されて実効層９を形成する、本発明にしたがうセキュリティ対応層構造の特別な実施形態を以下に説明する。ラベル材または転写材のような、異なる使用目的または応用技術から生じる層順は考慮されない。
【００５１】
実施例１（図４，５）
図４及び５はセキュリティ素子１０の一実施形態を平面図及び断面図で示し、セキュリティ素子１０は回折構造を含む独立領域１２を１つだけ有する。既に説明したように、この回折構造の特定の構成は本発明に関係しない。本質的に、回折構造は、入射光で回折効果が再現される視角であって、他の視角の下ではこの構造が視認できないかまたは散漫にしか認識できない、視角を有していなければならない。ここで、図５の矢印Ｂは回折効果が視認可能な視角を表す。すなわち、このあらかじめ定められた目視方向Ｂの周りの狭い角度範囲で領域１２を見ると、見る人は回折構造によってつくられた回折効果を視認するが、他の視角の下ではこの回折効果は全く視認できないかまたは散漫にしか視認できない。
【００５２】
図４及び５に示されるセキュリティ素子の目視方向Ｂは視角θ＝−４５°と指定することができる、明解さのため、最初に既に述べたように、回折像は斜視角の下で再現され、垂直方向からの目視Ｓでは全く視認できないかまたは散漫にしか視認できないと仮定される。
【００５３】
本発明にしたがう領域１２は、その下で入射光で回折像が再現される視角と同じ視角の下で見るときにしか視認できない、副領域１４を有する。図示される例において、これは矢印Ｂに沿って斜めに見る場合である。入射光で回折効果が再現されない視角の下で、ここでは垂直方向から、見ると、副領域１４はそれらの周囲に対して顕著なコントラストをなさず、したがって全く視認できないかまたはかすかにしか視認できない。したがって、図４において副領域１４は破線で表されている。図示される例において、副領域１４で表される情報は銀行券１００の８桁の通し番号である。
【００５４】
図５において、セキュリティ素子１０は線III−IIIに沿う断面で示される。本例において、セキュリティ素子１０は型押ホログラムとして形成される。したがって、セキュリティ素子１０は２つの透明プラスチック層２４，２８を有し、それらの境界領域は型押回折構造２１の形態を有する。プラスチック層２４，２８のいずれにおいても、セキュリティ素子１０の適用に用いられる連続ホイル１１（ラベル材またはセキュリティスレッド材または転写ホイル）にしたがい、実際の回折構造２１が型押しされる。
【００５５】
型押回折構造２１には、間隙２５を有する反射層２６，好ましくは金属層が設けられる。この場合、間隙２５は図４に破線で示されるような通し番号の形態を有する。プラスチック層２４の背面にも、反射層２６と実質的に同じ反射特性を有する反射層２２が設けられる。２つの反射層２２，２６には、例えばアルミニウムのような、同じ金属が用いられることが好ましい。
【００５６】
プラスチック層２４，２８は、反射層がない中間領域２５において回折効果が消えるように、可能な限り同様の屈折率を有するように選ばれる。したがって、プラスチック層２４，２８は同じプラスチック材でつくられることが好ましい。
【００５７】
本セキュリティ素子１０を回折像が再現されない方向から見ると、例えば垂直方向（方向Ｓ）から見ると、見る人はまず初めに第１に反射層２２，２６の反射特性を視認する。間隙２５においては、その下の反射層２２が見える。反射層２２，２６が例えばアルミニウムでつくられていれば、垂直方向から見ている人は、セキュリティ素子１０を無構造の光沢がある領域として視認する。回折像が再現される方向から見ると、この場合は斜め（方向Ｂ）から見ると、間隙２５は再現回折像における欠陥スポットを形成する。間隙の情報内容は見る人に対して、本来は明るい回折像を背景にする暗い情報として現れる。
【００５８】
間隙２５及びその下の反射層２２は本発明にしたがう副領域１４を協同して形成する。間隙２５はセキュリティ素子１０が銀行券１００上に貼り付けられてから作成されることが好ましい。すなわち、セキュリティ素子１０に用いられるホイルは２つの連続反射層２２，２６を有する。セキュリティ素子１０が所望の外形で銀行券１００上に転写されると、図４にしたがう副領域１４によって表される通し番号の形態で間隙２５がつくられる。これはレーザを用いて行われることが好ましく、レーザはそれぞれの領域において金属層２６を除去する。これは、レーザビームを金属層２６の面上に集束し、つくられるべき個別情報片にしたがってレーザビームをｘ及びｙ方向に偏向させることによって得られる。金属の高吸収係数によりレーザエネルギーが金属を蒸発させる効果が得られる。金属はほぼ瞬間的に酸化する。これらの金属酸化物はほぼ透明であるから、後からレーザエネルギーにさらされた領域は金属層における透明領域として見える。レーザビームエネルギー及び作用時間を選択的に制御することにより、第２の金属層２２が影響を受けることは防止できる。
【００５９】
このようにすれば、最終製造工程の１つにおいて、通し番号のような、銀行券を個別化する情報を銀行券毎に簡単かつ迅速な方式で与えることができる。
【００６０】
副領域１４が、例えば銀行券のデノミネーションの場合のように、さらに大量の貴重書類を個別化する情報を表すべきであれば、間隙２５をつくるための別の方法も用いることができる。この場合、間隙２５を、例えばエッチング法またはリフトオフ法によって連続ホイルの作成中にあらかじめ作成しておくことができる。このためにもレーザマーキング法を用い得ることは明らかである。
【００６１】
実施例２（図４，５）
本発明の別の実施形態にしたがえば、セキュリティ素子１０は図５に示されるような層構造を有する。しかし、この場合には反射層２２が反射層２６に対してコントラストを有する材料、好ましくは色の異なる金属でつくられる。反射層２６がアルミニウム層であれば、例えば銅層を反射層２２に用いることができる。この場合、２つの反射層２２，２６の色が異なることにより、垂直方向から見ると、見る人には間隙２５が非回折コントラスト像として見える。したがって、見る人は、垂直方向から見た場合であっても、コントラスト像の情報内容、本例では通し番号を、銀色の背景に対する銅色の領域として視認することができる。層２４は比較的薄いから、見る人は間隙２５が異なる材料、この場合は銅で埋められているという印象を受ける。さらに、上例で既に説明したように、斜めから見ると、間隙２５は明るい回折像を背景とする暗い情報として視認できる。垂直方向から見たときと斜めから見たときの視認できる非回折情報片間のこの同一性は、個々のデータの価値を高め、真性認証特徴として用いることができる。
【００６２】
もちろん、銅の代わりに、例えば金層またはニッケル層のような、別の反射性金属層を用いることもできる。印刷層、例えば金属性印刷層のような、コントラストを示す他の材料も可能である。
【００６３】
実施例３（図６，７）
図６及び７は本発明にしたがうセキュリティ素子の別の実施形態を上面図で示す。これらのセキュリティ素子は、好ましくは互いに直に接する、２つの独立領域を有することを特徴とする。
【００６４】
図６は、いずれもが回折構造を有する、２つの矩形領域３２Ａ，３２Ｂが上下に配されたセキュリティ素子３０を示す。それぞれの回折構造によって再現される像内容は２つの領域について同一とすることができるが、互いに異ならせることもできる。いずれの場合にも、領域３２Ａ，３２Ｂに配された回折構造の視角は互いに異ならなければならない。図示される例において、領域３２Ａに配された回折構造は左側から（矢印Ｌ）斜めに見たときにしか視認できず、領域３２Ｂに配された回折構造は右側から（矢印Ｒ）斜めに見たときにしか視認できない。本発明にしたがえば、領域３２Ａ，３２Ｂは、図６及び以降の図では波線で簡略に表される個別情報片３４Ａ，３４Ｂを有する。副領域３４Ａ，３４Ｂで表される情報は２つの領域３２Ａ，３２Ｂについて同一とするかまたは異ならせることができる。例えば、副領域３４Ａが８桁の通し番号の第１の４つの数字を表し、副領域３４Ｂがその通し番号の第２の４つの数字を表すことが考えられる。しかし、両領域に完全な同一の通し番号を与えることも可能である。
【００６５】
層構造が実施例１に相当すれば、セキュリティ素子を垂直方向から見ると副領域３４Ａ，３４Ｂは視認できないであろう。左側から斜めに見ると、見る人は副領域３４Ａで表される情報を領域３２Ａの周囲回折像を背景にして視認し、右側から見ると、見る人は副領域３４Ｂで表される領域３２Ｂの情報しか視認しない。副領域３４Ａ，３４Ｂで表されるこれらの部分情報片は通常の形態で印刷された通し番号に対応することができ、したがってそれと比較することができる。
【００６６】
実施例２におけるように、副領域３４Ａ，３４Ｂは垂直方向から見たときに周囲に対する色コントラストを有することができる。この場合、セキュリティ素子３０を垂直方向から見たときに、副領域３４Ａで表される情報及び副領域３４Ｂで表される情報のいずれをも明瞭に視認できる。しかし、左側から斜めに見ると、副領域３４Ａで表される情報は領域３２Ａの再現回折像を背景にして明瞭にコントラストが付いた態様で現れるが、右側から斜めに見ると、副領域３４Ｂで表される情報が卓越する。副領域３４Ａ，３４Ｂで表される情報片が、上述したように、互いに相補的に通し番号を形成すれば、垂直方向から見たときに完全な通し番号を視認できるであろうし、左側から斜め見たときまたは右側から斜めに見たときに視認できる数字ブロックと比較することができる。
【００６７】
図７は、２つの領域３２Ａ，３２Ｂが横並びに配された、図６にしたがう実施形態の別形を示す。領域３２Ａ，３２Ｂに部分情報片が与えられていれば、部分情報片が通常通りに横並びで一列に配されるから、本実施形態は特に適する。
【００６８】
実施例４（図８）
図８は図６及び７に関連して説明したセキュリティ素子の別の変形を示す。この場合、セキュリティ素子４０は既に説明したような形態の複数の回折領域を有する。この特定の例においては、横並びまたは上下に配された、４つの矩形領域４２Ａ〜４２Ｄが示される。この場合も、領域４２Ａ〜４２Ｄに配された回折構造の視角は互いに異なる。個々の領域４２Ａ〜４２Ｄにともなう目視方向は図８に矢印で示される。すなわち、セキュリティ素子４０または銀行券１００を傾けるか及び／または回転させることにより、領域４２Ａ〜４２Ｄの個々の回折像及びそれぞれの領域に配された副領域を次々に視認できる。
【００６９】
ここで、領域４２Ａ〜４２Ｄに対する斜視角は、例えば、−４５°、−１５°、＋１５°、＋４５°である。見る人がセキュリティ素子４０を有する銀行券１００を左側に斜め−４５°の角度でもち、銀行券を右側に向けて３０°間隔で−１５°から＋１５°に、続いて＋４５°に傾けると、見る人は、領域４２Ａ〜４２Ｄのそれぞれの再現回折像を背景にして副領域によって表される情報片を次々に視認できる。
【００７０】
この場合も、垂直方向で見ると副領域で表される情報片の全てが見える。同様に、情報片の全ては同一とするかまたはいずれかの内容に関して互いに連結させることができる。
【００７１】
実施例５（図９）
図９及び１０は、回折構造が設けられた領域または副領域が必ずしも矩形である必要はないことを示す。例えば図９には、それぞれが円形ディスクの扇形領域を形成する、本発明にしたがう１２の領域５２-０〜５２-１１を有する、円形ディスク型セキュリティ素子５０が示される。個々の領域５２-０〜５２-１１に配された回折構造の視角は、それぞれの回折構造によって再現される回折像がセキュリティ素子５０を回転させたときに見る人に対して次々に見えてくるように、選ばれる。図示される実施形態において、斜視角は、例えば、−３０°、−２５°、−２０°、−１５°、−１０°、−５°、０°、５°、１０°、１５°、２０°、２５°であり、視角−３０°（すなわち左側への傾き３０°）は下中間のフィールド５２-８に適用され、視角−２５°（すなわち左側への傾き２５°）はその左のフィールド５２-７に適用される。指定される角度は、フィールド５２-１０に視角＋２５°（すなわち右側への傾き２５°）が割り当てられるように、時計回り態様で扇形領域に割り当てられる。
【００７２】
扇形領域を、傾けるかまたは回転させたときに、次々に回折効果できらめかせるためには多くの可能性があることは明らかである。例えば、前面から斜めに照射して垂直方向から見たときに、セキュリティ素子を回転させるとフィールドが面内で次々にきらめくようにフィールドを配置することができる。この場合、回折格子のプロファイルが非対称であることが、対称プロファイルでは、回折格子が１８０°回転で同じ位置を占める、対向するフィールドが同時にきらめくことになるから、必要である。非対称プロファイルにより、１つのフィールドだけがきらめき、残るフィールドは暗いままであることが保証される。
【００７３】
図示される例において、個々の領域５２-０〜５２-１１に組み込まれる副領域は円環５４に沿って配される。副領域で表される情報片はいかなる構成にもすることができる。有利な一別形では、例えば、異なる目視方向からは、互いに相補的に１つの単語を形成するか、あるいは互いに相補的に文章を形成する異なる単語または音節を形成する、異なる文字または記号が視認されるように、副領域を構成することができよう。しかし、それぞれの扇形領域で同じ情報を反復することも可能である。
【００７４】
実施例６（図１０）
ホログラム領域の異なる分割形状が図１０に示される。この場合、セキュリティ素子５０は互いに同心態様で配された円環形領域５２-０〜５２-４からなる。ここで、個々の領域５２-０〜５２-４の回折構造は、セキュリティ素子５０が傾けられたときにそれぞれにともなう回折像の内容が再現されるように構成される。したがって、個々の円環形領域に組み込まれた情報片は異なる傾き角の下で視認することができる。そのような構成の実施形態により、副領域で表される情報片が円中心から外向き方向に全半径にかけて流れ、及び／または再び戻るように見える、いわゆるポンピング効果を実現することができる。この動きは図１０に矢印５４で示される。
【００７５】
実施例７（図１１，１２）
図１１及び１２は本発明にしたがう別の実施形態のセキュリティ素子６０を上面図及び断面図で示す。セキュリティ素子６０は、それぞれの視角が、セキュリティ素子の縁端６６から中心にかけて大きくなり、中心から逆側の縁端６８にかけて小さくなる、横並びに配された１０のストリップ形領域６２-０〜６２-９を有する。このことが図１２に矢印で簡略に示される。見る人に対してセキュリティ素子６０を傾けることにより、ストリップ６２-０〜６２-９の回折像及びそれぞれに組み込まれた副領域が次々に視認できるようになる。例えば、図１１に平面図で示されるように、書き込まれた通し番号６４を、セキュリティ素子を傾けたときに通し番号を数字毎に読み取ることができ、銀行券１００上の異なる場所に通常の印刷で与えられた数字列と比較することができるように、領域６２-１〜６２-８に組み込むことができる。
【００７６】
図１１及び１２には簡潔さのために１０のストリップ６２-０〜６２-９しか示されていないが、例えば、セキュリティ素子６０を傾けていったときにそれぞれに見える回折像間の連続遷移が得られるように、さらに多数のストリップを用い得ることは明らかである。
【００７７】
これまで説明した全ての実施例は共通して、独立しており、肉眼で解像できる広がりを有する、回折構造が設けられた領域を有する。全てのホログラム領域に同じ情報が組み込まれていれば、個々の領域の識別は完全にまたはかなりの程度まで無視することができる。ホログラム領域に通し番号の数字のような異なる情報片が組み込まれていれば、比較的大表面積のホログラム領域の光学的解像度に対する要求は高くはないから、個別情報の組込みに対しては簡単な検出装置で十分であろう。
【００７８】
実施例８（図１３，１４）
以下に説明する実施例においては、個々の領域が複数の部分領域からなり、部分領域の寸法は肉眼で解像できない。ホログラム領域に属する全ての部分領域はそれぞれの領域にともなう回折像の再現に寄与する。
【００７９】
この原理が図１３に簡略に示される。左側から斜めに（矢印Ｌ）見ると、ホログラム領域７２が第１の回折像を再現し、右側から斜めに（矢印Ｒ）見ると、ホログラム領域７４が第２の回折像を再現する。これらのホログラム領域７２，７４はストリップ形部分領域７２-１〜７２-５または７４-１〜７４-５に分割される。本実施形態にしたがうこれらの部分領域は幅が約５０μｍに過ぎず、肉眼では解像できない。最終セキュリティ素子７０に対して、ホログラム領域７２，７４のこれらの部分領域７２-１〜７２-５または７４-１〜７４-５は互いにインターレースされる。図示される例において、ホログラム領域７２の部分領域７２-１にホログラム領域７４の部分領域７４-１が続き、以下同様となるように、部分領域７２-１〜７２-５及び７４-１〜７４-５が交互に配される。
【００８０】
セキュリティ素子７０を左側から斜めに見ると、部分領域７２-１〜７２-５だけが回折像の再現に寄与し、見る人は第１のホログラム７２を視認する。逆に、セキュリティ素子７０を右側から斜めに見ると、部分領域７４-１〜７４-５だけが回折像の再現に寄与し、見る人は第２のホログラム７４を視認する。個々の部分領域７２-１〜７２-５または７４-１〜７４-５は互いに隔てられて配されているが、それぞれの視角の下で視認され得るホログラム７２，７４は、部分領域の幅が狭く、部分領域間隔が小さいことから、見る人にはつながっているように見える。内容に関しては、第１及び第２のホログラムが同じかまたは異なる回折像を再現することができる。それぞれのホログラム領域が、いかなる数の部分領域７２-１〜７２-ｍまたは７４-１〜７４-ｍも有し得ることは明らかである。異なるホログラムの部分領域の幅が必ずしも同じである必要はない。ストリップ形部分領域の作成は、例えば、露光時に、回折記録媒体がその時に露光されるべきではない記録媒体部分を覆う、線マスクを用いて行うことができる。あるいは、記録媒体に電子ビームを適切に向けることによってストリップを直接作成することもできる。部分領域またはストリップの数は所望のいかなる態様でも選ぶことができる。ストリップの幅が例えば５０μｍであり、セキュリティ素子７０の長さが例えば５０ｍｍであれば、素子は横並びに配された１０００のストリップを有する。
【００８１】
本発明にしたがえば、領域７２，７４において、図１３には示されていない、個別情報片はＬ方向における像再現及び方向Ｒにおける像再現のいずれにも関与しない副領域の形態で組み込まれる。
【００８２】
ここで、セキュリティ素子７０の特定の層構造が既に説明した図５にしたがう層構造に相当すると仮定する。全ての部分領域７２-１〜７２-５，７４-１〜７４-５において、上で説明したように、高精度検出作業をともなわず、大量生産に適する装置で、副領域の作成を行うことができるように、本発明にしたがう副領域の形態で同じ情報が組み込まれることが好ましい。この場合、以下で詳細に説明するように、２つの目視方向からは、同じ暗い個別情報が本来は明るいそれぞれのホログラム像を背景にして現れる。
【００８３】
図１４は、説明の目的のためにいくつかの副領域７６が簡略に示されている、図１３にしたがうセキュリティ素子７０を示す。上で既に説明したように、完全な情報、例えば数ｃｍの幅をもつ通し番号は、複数のそのような副領域７６からなる。
【００８４】
全てのストリップの幅が同一である場合に、２つの部分領域において個別情報が視認できるべきであれば、個別情報の線幅がストリップ幅の少なくとも２倍にならなければないらないことも肝要である。眼は異なるストリップにかけて分散された線のパーツを統合するから、線がストリップをその全幅にわたって覆うかまたは部分的にのみ覆うかは関係ない。いずれの場合にも、見える印象は同じであろう。例として、文字'ｉ'に関する両極端が図１４に示される。ストリップ幅が例えば５０μｍで、個別情報の線についての好ましい線幅が０.５ｍｍであると、部分領域毎に１０のストリップが占拠されることを考慮すれば、個別情報を組み込むときにストリップにどのように「当たる」かは重要でないことが明らかになる。
【００８５】
すなわち、上述した構成では、部分領域の縁端と位置合わせせずに、すなわち低い設備能力及び短い作業時間で、副領域７６で表される情報を書き込むことができ、２つの目視方向から同じ情報を視認できる。
【００８６】
異なる目視条件の下で視認できる回折像を有し、それぞれの回折像がともなう部分領域がそれぞれ互いにインターレースされた、２つより多くのホログラム領域を設けることができることがわかる。すなわち、部分領域の縁端に位置合わせすることなく副領域で表される情報を書き込むことができるように、副領域の幅がそれぞれ調節されなければならない。
【００８７】
実施例９（図１５）
図１５は本発明の別の実施形態を断面図で示す。大体において、このセキュリティ素子７１の構造は図１３に示されるセキュリティ素子７０に相当する。すなわち、セキュリティ素子７１は、異なる視角の下で異なる回折像を再現する、互いにインターレースされた２つのホログラム領域７２，７４を有する。この場合、回折像再現に寄与しない副領域は２つの反射層の協同によって形成されるのではなく、第１の反射層の間隙だけで形成される。
【００８８】
図１５は型押ホログラムとして形成されたセキュリティ素子７１の詳細を断面図（正しい比例関係にはない）で示す。交互に配された部分領域７２-１，７４-１，７２-２，７４-２が示される。本発明にしたがえば、部分領域７２-１，７２-２は部分領域７４-１，７４-２とそれらに配された回折構造に関して異なる。部分領域７２-１，７２-２においてプラスチック層２４，２８間の界面域に第１の回折構造７３が設けられ、部分領域７４-１，７４-２は第２の回折構造７５を有する。プラスチック層２４，２８間の界面域全体に、部分領域７２-１，７２-２では間隙７７を有し、部分領域７４-１，７４-２では間隙７９を有する、反射層２６が設けられる。この反射層２６は、例えばアルミニウム層のような、薄い金属層であることが好ましい。間隙７７，７９はそれぞれのホログラム領域７２，７４にともなう副領域を表す。このようにして表される情報件は同一とするかまたは異ならせることができる。
【００８９】
本セキュリティ素子７１は、透過光で見ると、暗く見える反射層２６を背景にした明るくコントラストの高い領域として間隙７７，７９を視認できるから、特に半透明または透明な貴重品の保護に適する。既に数回説明したように、間隙７７が通し番号の第１の数字列を表し、間隙７９が第２の数字列を表すとすれば、透過光で見る人は通し番号全体を視認する。しかし、セキュリティ素子７１を左側から斜めに見ると、見る人はホログラム領域７２の間隙７７の形態で組み込まれた第１の数字列だけを視認する。右側から斜めに見ると、見る人はホログラム領域７４の間隙７９で与えられた第２の数字列を視認する。このようにすれば、異なる視角の下で視認できる情報片を比較することによって、貴重品の真性性に関する結論を引き出すことができる。
【００９０】
実施例１０（図１６）
図１６は図１３の本発明にしたがうセキュリティ素子の別の実施形態を断面図で示す。図示されるセキュリティ素子８１は、異なる回折構造７３，７５が配された異なる部分領域７２-１，７２-２または７４-１，７４-２に対応する、型押ホログラムである。図１５に示される実施例とは異なり、本実施例の反射層２６は全面にわたって存在し、好ましくは金属層、特にアルミニウム層でつくられる。副領域を作成するため、該当する部分領域において、反射層２６と実質的に同じ反射特性を有することが好ましい印刷インクでプラスチック層２８に印刷がなされる。反射層２６が例えば銀色のアルミニウム層で形成されていれば、印刷層８３，８５の印刷インクには、例えばスーパーシルバーのような、銀色の金属性印刷インクが用いられる。印刷領域８３，８５のために用いられる印刷インクは実質的に反射層２６と同じ反射特性を有するから、セキュリティ素子８１を垂直方向から見ると印刷領域８３，８５は視認できない。しかし、左側から斜めに見ると、ホログラム領域７２の部分領域７２-ｉに配された印刷領域８３はホログラム７２の再現に寄与せず、よって印刷領域８３はホログラム７２における光の鈍い領域として視認できる。同様に、右側から斜めに見ると、ホログラム領域７４の部分領域７４-ｉに配された印刷領域８５だけが視認できる。この場合も、印刷領域８３，８５は同一の情報または異なる情報片を表すことができる。同様に、既に説明した実施例におけるように、印刷領域８３，８５で表される情報片の間で内容に関連があり得る。
【００９１】
あるいは、印刷像８３，８５は、プラスチック層２８と反射層２６の中間に配されるように、反射層２６上に直に作成することができる。しかし、これは初期のプロセス工程で行われなければならず、したがって、完成セキュリティ素子にデータを書き込めるという利点が失われることになろう。
【００９２】
図１５，１６に示されるセキュリティ素子７１，８１が、ホログラム領域７２，７４とそれぞれインターレースされる、別のホログラム領域を有し得ることは明らかである。
【００９３】
実施例１１（図１７）
本発明の別の実施形態が図１７に示される。図１７に示されるセキュリティ素子８０は、視角が異なる回折構造が設けられた、本発明にしたがう２つのホログラム領域８２，８４に加えて、第３の回折像領域８８を有する。ホログラム領域８２，８４，８８は、図１３に関して既に説明したように、インターレースされた態様で配された、複数の部分領域８２-ｉ，８４-ｉ，８８-ｉに分割される。ホログラム領域８２，８４は、図５，１５及び１６に関して既に説明した実施例にしたがって構成することができる、本発明にしたがう副領域を有する。しかし、ホログラム領域８８は副領域をもたず、ホログラム領域８２，８４の視角とは異なる視角の下で視認できる。見る人は、このセキュリティ素子８０を左側から斜めに見るとまず初めに部分領域８２-ｉで再現される回折像を視認し、右側から斜めに見るとまず初めに部分領域８４-ｉで再現される回折像を視認する。部分領域８８-ｉも、特にセキュリティ素子を垂直方向から見ると前面に現れる、回折像を互いに相補的に形成する。
【００９４】
この別形は、追加のホログラム領域８８が精巧であると同時に審美的に魅力のある回折像を再現する場合に、副領域が与えられるホログラム領域８２，８４を極めて単純に構成できるという利点を有する。すなわち、既知のセキュリティ素子におけるように、ほとんど垂直方向から見ると、見る人は複雑な回折効果が与えられる複雑なホログラムを視認する。しかし、ホログラム領域８２，８４は、副領域で表される情報を視認できる、例えば単純で色付の領域を再現することができる。見る人は、左側から斜めに見ると、例えばこの場合も、赤色に囲まれた通し番号の第１の数字列を見るし、右側から斜めに見ると同じく赤色にまたは異なる色に囲まれた第２の数字列を見る。
【００９５】
しかし、本実施形態は、個別情報片を書き込むためには、従来技術による場合におけるように、それぞれのストリップを識別してからでなければ、個別情報の部分要素を書き込むことができないという欠点を有する。
【００９６】
実施例１２（図１８）
図１８は、それぞれが回折構造を有する、本発明にしたがう領域のための有用な作成方法を示す。
【００９７】
例として図１８に示されるセキュリティ素子９０は、図１３に示されるセキュリティ素子７０と同様に、複数の交互に配された部分領域９２，９４から形成される。部分領域９２，９４のそれぞれは、複数の均一な、本実施形態においては正方形の画素９６からなる。部分領域９２，９４は辺長が５０μｍの正方形画素からなる。しかし、部分領域に割り当てられた画素の視角は再現されるべき回折像に関して互いに異なる。部分領域９２の視角は、例えば−４５°とすることができ、部分領域９４に割り当てられた画素の視角は＋４５°である。すなわち、その下で部分領域９２，９４にともなう回折像が視認できる傾角は４５°になるが、セキュリティ素子９０の面内の再現角は互いに１８０°異なる。
【００９８】
個々の画素９６が小さいことから、所望のいかなる形態のホログラム領域も、例えば、図９にしたがうセキュリティ素子５０の扇形領域または図８にしたがうセキュリティ素子４０の単純な矩形部分領域も、形成することができる。
【００９９】
画素９６は、例えばいわゆるドットマトリックス法にしたがう、機械によって大量に、高費用効果で作成することができる。しかし、個々の画素９６の領域境界を理想的に正確な直線の辺と同形には再現し得ないことがおこり得る。特に、ドットマトリックス法においては、曲線態様で延びる領域境界すなわち領域辺を極めて微細に傾きを変えるプロセス工程を用いて形成しなければならない。しかし、画素寸法が小さく、眼の解像能力が限られていることから、視認される印象へのそれによる影響はほとんどない。
【０１００】
実施例１３（図１９）
本発明の別の実施形態が図１９を参照して説明される。セキュリティ素子１１５は、斜視角の下で回折像を再現する回折構造を含む、本発明にしたがう領域１１０を有する。この領域１１０は、例えば個別化情報を表すことができる、副領域１１１を有する。この領域１１０は、同じく光回折構造を有する周囲１１２に埋め込まれる。この周囲のホログラム１１２の回折再現像は領域１１０の像の視角とは異なる視角の下で見ることができ、領域１１２で再現される回折像はほぼ垂直方向から見たときに見えることが好ましい。
【０１０１】
回折性周囲１１２への表面埋込みにより、副領域１１１が設けられた回折領域１１０はある意味で偽装される。この場合も、周囲ホログラム１１２は精巧で複雑な回折像として、例えば「キネグラム」として構成することができ、一方、ホログラム領域１１０は、既に述べた色付領域のような、簡単な回折像を再現することができる。この場合、素子１１５を斜めに見ると、見る人はこの色付領域及び色付領域に入れられた情報１１１を視認する。
【０１０２】
セキュリティ素子１１５の層構造は図５に示されるセキュリティ素子１０の層構造と同様に構成することができる。周囲ホログラム領域１１２の反射層は全面を覆う連続態様で形成されるから、副領域に寄与する第２の反射層２２はホログラム領域１１２で与えられる光学的印象を全く妨げない。
【０１０３】
実施例１４（図２０）
セキュリティ素子１１５は図１５，１６に示されるような素子７１，７８の構造と同様の構造も有することができる。図２０は、該当領域１１２，１１０においてプラスチック層２４，２８の界面域にそれぞれの回折構造１１３，１１４が設けられた、素子１１５の一実施形態を断面図で示す。ホログラム領域１１２には、鏡面反射金属層であることが好ましい、反射層２６が間隙をもたない全面被覆態様で与えられる。一方、ホログラム領域１１２において、反射層２６は表されるべき情報１１１の形態にある間隙１１６を有する。本発明にしたがう副領域を表すこれらの間隙１１６は、ホログラム領域１１０を透過光で見たとき及びホログラム領域１１０を斜めから見たときのいずれにおいても、見ることができる。これにより、見る人は、透過光で、及び斜めから見たときに視認できる情報の同一性を真性性特徴としてチェックすることができる。
【０１０４】
実施例１５（図２１）
図１６に関して既に説明した実施例と同様に、セキュリティ素子１１５の場合にも、副領域１１１で表される情報を反射層２６と実質的に同じ反射特性を有する印刷インクで印刷することによって同様に表すことができる。この別形が図２１に示される。しかし、本例においては、印刷像１１７が反射層２６上に直に与えられる。あるいは、印刷像１１７をプラスチック層２８上に与えることももちろんできる。
【０１０５】
この表面埋込み及び副領域が設けられていない別のホログラムとの組合せの態様は、本明細書に説明される他の全ての実施形態についても同様に用いることができる。
【０１０６】
実施例１６（図２２，２３）
別の実施形態にしたがえば、副領域で表される情報は完成したホログラムに組み込まれるのではなく、型押ホログラムの作成に用いられる型押金型へのいわゆる「造型プロセス」中に先に組み込まれる。その後に完成ホログラムにつくられる情報は一意的情報として形成することができるが、同じ型押金型でつくられる型押ホログラムは全て同じ情報を有する。
【０１０７】
そのような型押金型の作成が図２２に簡略に示される。ここでは、レリーフ構造の形態の回折構造を既に有し、「マスター」と称されることがある、元金型から出発する。図２２のこの元金型はＭ０と称される。第１の成形工程Ｉにおいて元金型Ｍ０の同一の複製が作成され、Ｍ１と称される。第２の成形工程IIにおいて複製Ｍ１のそれぞれから、まとめてＭ２と称される、複数の同一の複製が作成される。第３の成形工程IIIになって初めて、回折構造が型押ホログラムＨＯに転写される。その後に完成ホログラムにレーザで行われる個別化手段の全ては、原理的に型押金型Ｍ１，Ｍ２においても、成形工程Ｉ及び／またはIIの後の造形プロセス中に実施することができる。
【０１０８】
例えば通貨の全てのデノミネーションが型押ホログラムで与えられることになれば、全シリーズに対して、すなわち全てのデノミネーションに対して、同じ基本モチーフを選ぶことができる。基本モチーフは元金型Ｍ０の回折構造として実現される。元金型から成形された同一の複製Ｍ１は、いくつかの領域においてレーザで変えることができ、したがって個別化することができる。このようにすれば、個々のデノミネーションを特徴付ける情報をもつ型押金型をこの段階で作成することができる。例えば、個々の複製Ｍ１にそれぞれのデノミネーションを個別化情報として組み込むことができる。次いで、これらの個別化された型押金型のそれぞれから第２の成形工程IIにおいて複数の同一の複製が作成される。すなわち、工程IIにおける成形後、それぞれの銀行券デノミネーションに対して複数の同一の型押金型が得られ、この型押金型を用いて、個別化された副シリーズを表すデノミネーションに対応する型押ホログラムを作成することができる。したがって、個別化された型押金型１からさらに、同じ個別化情報をもつ型押金型１.１〜１.３が作成される。同じことが、図示される型押金型２〜４に同様に適用される。
【０１０９】
Ｍ２と称される型押金型の複製においても、個別化手段または補助個別化手段を実施し得ることは明らかである。したがって、必要に応じて、異なる製造施設または製造ラインについて、異なるマークを組み込むことができる。
【０１１０】
最後に、このようにした作成されるホログラムの副シリーズに、既に述べた手段を用いて、例えばレーザマーキングにより、後の時点において別の個別化情報を与えることができる。
【０１１１】
図２３はそのような個別化された型押金型を断面図で示す。この場合、型押金型１１８は型押ダイとして形成され、一方の表面にレリーフ構造の形態の回折構造１１９を有する。このレリーフ構造１１９は領域１２０において、例えばレーザを用いて、書込みがなされる。型押プロセス中に、型押ダイ１１８がプラスチック層または型押可能ラッカー層に押しつけられ、よってプラスチック層の表面にレリーフ構造及び書込みがなされた領域１２０が転写される。型押金型がいずれか他の形態も有し得ることは明らかである。大量生産においては特に型押シリンダ金型が好んで用いられる。
【０１１２】
実施例１７（図２４）
本発明の別形にしたがえば、型押ホログラムはいわゆる「非対称ホログラム」として形成される。非対称ホログラムはプロファイルが非対称の回折構造１３０を有する。図２４はそのような非対称プロファイルをもつ型押ダイ１１８を示す。これにより特に強い方向効果が達成され、あらかじめ定められた視角の下でしか見えない回折再現像は特に明るい。非対称ホログラムは、図１３〜１６に示されるように、異なる視角の下で視認できる、互いにインターレースされた複数のホログラムを有するセキュリティ素子に用いられることが好ましい。
【０１１３】
本発明にしたがうセキュリティ素子及び／または作成方法の上述した別形の全てが互いに組み合され得ることは明らかである。
【図面の簡単な説明】
【０１１４】
【図１】本発明にしたがう銀行券を示す
【図２】本発明にしたがうセキュリティ素子を断面図で示す
【図３】本発明にしたがうセキュリティ素子の貴重書類上への転写を示す
【図４】本発明にしたがうセキュリティ素子の一実施形態の概略を上面図で示す
【図５】本発明にしたがうセキュリティ素子の概略の構造を断面図で示す
【図６】本発明にしたがうセキュリティ素子の別の実施形態を上面図で示す
【図７】本発明にしたがうセキュリティ素子の別の実施形態を上面図で示す
【図８】本発明にしたがうセキュリティ素子の別の実施形態を上面図で示す
【図９】本発明にしたがうセキュリティ素子の別の実施形態を上面図で示す
【図１０】本発明にしたがうセキュリティ素子の別の実施形態を上面図で示す
【図１１】本発明にしたがうセキュリティ素子の別の実施形態を上面図で示す
【図１２】図１１にしたがうセキュリティ素子の線Ｘ−Ｘに沿う断面を示す
【図１３】本発明にしたがうセキュリティ素子の別の実施形態を上面図で示す
【図１４】本発明にしたがうセキュリティ素子の別の実施形態を上面図で示す
【図１５】図１３，１４にしたがうセキュリティ素子の層構造の概略を断面図で示す
【図１６】セキュリティ素子の層構造の別形を断面図で示す
【図１７】本発明にしたがうセキュリティ素子のさらなる別形を上面図で示す
【図１８】本発明にしたがうセキュリティ素子のさらなる別形を上面図で示す
【図１９】本発明にしたがうセキュリティ素子のさらなる別形を上面図で示す
【図２０】本発明にしたがうセキュリティ素子のさらなる別形を断面図で示す
【図２１】本発明にしたがうセキュリティ素子のさらなる別形を断面図で示す
【図２２】型押ダイ及び型押ホログラムの複製の基本原理を示す
【図２３】型押ダイの回折構造のホイルへの転写の略図を示す
【図２４】非対称回折構造をもつ型押ダイの簡略な断面図を示す
【符号の説明】
【０１１５】
１０    セキュリティ素子
１２    回折構造領域
１４    副領域
２２，２６    反射層
２４，２８    プラスチック層
１００    銀行券
【図１】
2006528369.tif 000003
【図２】
2006528369.tif 000004
【図３】
2006528369.tif 000005
【図４】
2006528369.tif 000006
【図５】
2006528369.tif 000007
【図６】
2006528369.tif 000008
【図７】
2006528369.tif 000009
【図８】
2006528369.tif 000010
【図９】
2006528369.tif 000011
【図１０】
2006528369.tif 000012
【図１１】
2006528369.tif 000013
【図１２】
2006528369.tif 000014
【図１３】
2006528369.tif 000015
【図１４】
2006528369.tif 000016
【図１５】
2006528369.tif 000017
【図１６】
2006528369.tif 000018
【図１７】
2006528369.tif 000019
【図１８】
2006528369.tif 000020
【図１９】
2006528369.tif 000021
【図２０】
2006528369.tif 000022
【図２１】
2006528369.tif 000023
【図２２】
2006528369.tif 000024
【図２３】
2006528369.tif 000025
【図２４】
2006528369.tif 000026
【国際調査報告】
2006528369.tif 000027
2006528369.tif 000028
2006528369.tif 000029
2006528369.tif 000030
2006528369.tif 000031
2006528369.tif 000032